(57)【要約】【課題】画像処理装置における文字の入力を携帯端末の文字入力機能を用いて効率的に行うことのできる画像処理システム、並びにこれに用いられる画像処理装置及び携帯端末を提供すること。【解決手段】携帯端末Ｘ及び複合機Ｙを備えた画像処理システムにおいて、前記携帯端末Ｘが、前記携帯端末Ｘの操作表示部１２により入力された文字情報を前記複合機Ｙに送信し、前記複合機Ｙは、前記文字情報を前記携帯端末Ｘから受信して前記文字情報を前記複合機Ｙの操作入力部２２による入力文字として反映する。【選択図】図６
2013251623.tif 000002
【特許請求の範囲】
【請求項１】
携帯端末と通信接続可能であり画像形成手段及び画像読取手段のいずれか一方又は両方を備えてなる画像処理装置であって、
文字を入力するための第１の文字入力手段と、前記携帯端末に設けられた第２の文字入力手段によって入力された文字情報を前記携帯端末から受信する文字情報受信手段と、前記文字情報受信手段によって受信された前記文字情報を前記第１の文字入力手段による入力文字として反映する文字反映手段と、を備えてなることを特徴とする画像処理装置。
【請求項２】
前記画像処理装置において予め登録された登録文字情報を記憶する登録文字情報記憶手段と、前記登録文字情報を前記携帯端末に送信する登録文字情報送信手段と、を備えてなる請求項１に記載の画像処理装置。
【請求項３】
前記登録文字情報が、前記画像処理装置における文字入力の学習情報、入力履歴、ユーザー辞書情報、アドレス情報のいずれか一つ又は複数を含むものである請求項２に記載の画像処理装置。
【請求項４】
前記第１の文字入力手段に表示された入力項目に関する入力項目情報の送信が前記携帯端末から要求された場合に前記入力項目情報を前記携帯端末に送信する入力項目情報送信手段を備えてなる請求項１〜３のいずれかに記載の画像処理装置。
【請求項５】
前記画像処理装置において任意に設定されて使用される言語の種別を示す言語設定情報を前記携帯端末に送信する言語設定情報送信手段を備えてなる請求項１〜４のいずれかに記載の画像処理装置。
【請求項６】
画像形成手段及び画像読取手段のいずれか一方又は両方を備えてなる画像処理装置と通信接続可能な携帯端末であって、
文字を入力するための第２の文字入力手段と、前記画像処理装置において予め登録された登録文字情報を前記画像処理装置から受信する登録文字情報受信手段と、前記登録文字情報を前記第２の文字入力手段による文字の入力の際に用いられる辞書データに登録する辞書データ登録手段と、前記第２の文字入力手段により入力された文字情報を前記画像処理装置に送信する文字情報送信手段と、を備えてなることを特徴とする携帯端末。
【請求項７】
画像を撮影する撮影手段と、前記撮影手段の撮影画面に映された前記画像処理装置の選択操作に応じて、前記画像処理装置に設けられた第１の文字入力手段に表示された入力項目に関する入力項目情報の送信を前記画像処理装置に要求する送信要求手段と、前記画像処理装置から受信した前記入力項目情報に基づいて前記入力項目を少なくとも含む操作画面を表示させる表示制御手段と、を備えてなる請求項６に記載の携帯端末。
【請求項８】
前記画像処理装置において任意に設定されて使用される言語の種別を示す言語設定情報を前記画像処理装置から受信する言語設定情報受信手段を備えてなり、
前記第２の文字入力手段が、前記言語設定情報が示す種別の言語で文字を入力するものである請求項６又は７のいずれかに記載の携帯端末。
【請求項９】
前記登録文字情報が、前記画像処理装置における文字入力の学習情報、入力履歴、ユーザー辞書情報、アドレス情報のいずれか一つ又は複数を含むものである請求項６〜８のいずれかに記載の携帯端末。
【請求項１０】
前記第２の文字入力手段は、ソフトウェアキーボード入力機能、手書き入力機能、音声入力機能、及び所定の編集処理機能のいずれか一つ又は複数の機能を用いて文字を入力するものである請求項６〜９のいずれかに記載の携帯端末。
【請求項１１】
携帯端末と画像形成手段及び画像読取手段のいずれか一方又は両方を備えてなる画像処理装置とが通信接続可能である画像処理システムであって、
前記携帯端末が、文字を入力するための第２の文字入力手段と、前記第２の文字入力手段により入力された文字情報を前記画像処理装置に送信する文字情報送信手段と、を備えてなり、
前記画像処理装置が、文字を入力するための第１の文字入力手段と、前記携帯端末に設けられた第２の文字入力手段によって入力された文字情報を前記携帯端末から受信する文字情報受信手段と、前記文字情報受信手段によって受信された前記文字情報を前記第１の文字入力手段による入力文字として反映する文字反映手段と、を備えてなることを特徴とする画像処理システム。
【請求項１２】
前記画像処理装置が、前記画像処理装置において予め登録された登録文字情報を記憶する登録文字情報記憶手段と、前記登録文字情報を前記携帯端末に送信する登録文字情報送信手段と、を備えてなり、
前記携帯端末が、前記画像処理装置において予め登録された登録文字情報を前記画像処理装置から受信する登録文字情報受信手段と、前記登録文字情報を前記第２の文字入力手段による文字の入力の際に用いられる辞書データに登録する辞書データ登録手段と、を備えてなる請求項１１に記載の画像処理システム。
【発明の詳細な説明】
【技術分野】
【０００１】
本発明は、画像処理装置及び携帯端末が通信接続可能な画像処理システムに関し、特に、携帯端末を用いて画像処理装置における文字入力を行うための技術に関するものである。
【背景技術】
【０００２】
従来から、プリンター又は複合機などの画像処理装置を遠隔制御する際はパーソナルコンピュータなどの情報処理装置が用いられる。一般に、情報処理装置が備える液晶ディスプレイなどの表示装置の画面サイズは携帯電話やＰＤＡなどの携帯端末に比べて大きく、情報処理装置では、その表示装置に表示される操作画面上で画像処理装置を制御するための操作が行われる。
一方、携帯端末に設けられる表示装置の画面サイズは小さいため、携帯端末から画像処理装置を操作することを考えた場合に、情報処理装置と同様の操作画面を携帯端末に表示させると、その操作画面が小さくなって見づらくなる。これに対し、例えば特許文献１には、携帯端末固有の機器情報に対応する画面サイズ等で画像形成装置の操作画面を表示させる構成が開示されている。具体的に、前記特許文献１には、携帯端末が備える表示装置の画面サイズに応じた表示形式で操作画面を表示させることが開示されている。
【先行技術文献】
【特許文献】
【０００３】
【特許文献１】特開２００６−１６５７８５号公報
【発明の概要】
【発明が解決しようとする課題】
【０００４】
ところで、携帯端末では小さい操作画面で文字の入力も行われる。そのため、一般に、携帯端末は、例えば予測変換機能や所定の編集処理機能（切り取り、貼り付け、コピー）などの各種の入力補助機能を備えている。しかしながら、プリンター又は複合機などの画像処理装置は、携帯端末が有する前記入力補助機能を有しておらず、ユーザーによる文字入力時の操作効率が悪い場合がある。
従って、本発明は前記事情に鑑みてなされたものであり、その目的とするところは、画像処理装置における文字の入力を携帯端末の文字入力機能を用いて効率的に行うことのできる画像処理システム、並びにこれに用いられる画像処理装置及び携帯端末を提供することにある。
【課題を解決するための手段】
【０００５】
前記目的を達成するために本発明は、携帯端末と通信接続可能であり画像形成手段及び画像読取手段のいずれか一方又は両方を備えてなる画像処理装置であって、文字を入力するための第１の文字入力手段と、前記携帯端末に設けられた第２の文字入力手段によって入力された文字情報を前記携帯端末から受信する文字情報受信手段と、前記文字情報受信手段によって受信された前記文字情報を前記第１の文字入力手段による入力文字として反映する文字反映手段と、を備えてなることを特徴とする画像処理装置として構成される。
本発明に係る前記画像処理装置によれば、前記画像処理装置における文字の入力を前記携帯端末の前記第２の文字入力手段を用いて効率的に行うことができる。特に、前記携帯端末は、ユーザーが日常的に使用するものであるため、ユーザーは使い慣れた前記携帯端末の前記第２の文字入力手段による文字入力手法によって簡単に前記画像処理装置における文字の入力を行うことができる。
また、前記画像処理装置は、前記画像処理装置において予め登録された登録文字情報を記憶する登録文字情報記憶手段と、前記登録文字情報を前記携帯端末に送信する登録文字情報送信手段と、を備えてなることが考えられる。ここに、前記登録文字情報は、例えば前記画像処理装置における文字入力の学習情報、入力履歴、ユーザー辞書情報、アドレス情報のいずれか一つ又は複数を含むものである。これにより、前記携帯端末における文字入力時に前記登録文字情報を用いることが可能となる。
さらに、前記画像処理装置は、前記第１の文字入力手段に表示された入力項目に関する入力項目情報の送信が前記携帯端末から要求された場合に前記入力項目情報を前記携帯端末に送信する入力項目情報送信手段を備えてなることが考えられる。これにより、前記携帯端末では、例えば前記第１の文字入力手段に表示された入力項目を必要に応じて表示させることが可能になる。
また、前記画像処理装置は、前記画像処理装置において任意に設定されて使用される言語の種別を示す言語設定情報を前記携帯端末に送信する言語設定情報送信手段を備えてなることが考えられる。これにより、前記携帯端末では、例えば前記第２の文字入力手段により入力する文字を前記言語設定情報が示す言語で入力させることが可能となる。
【０００６】
ところで、本発明は、前記携帯端末の発明として捉えることもできる。即ち、本発明は、画像形成手段及び画像読取手段のいずれか一方又は両方を備えてなる画像処理装置と通信接続可能な携帯端末であって、文字を入力するための第２の文字入力手段と、前記画像処理装置において予め登録された登録文字情報を前記画像処理装置から受信する登録文字情報受信手段と、前記登録文字情報を前記第２の文字入力手段による文字の入力の際に用いられる辞書データに登録する辞書データ登録手段と、前記第２の文字入力手段により入力された文字情報を前記画像処理装置に送信する文字情報送信手段と、を備えてなることを特徴とする携帯端末として構成される。ここに、前記登録文字情報は、例えば前記画像処理装置における文字入力の学習情報、入力履歴、ユーザー辞書情報、アドレス情報のいずれか一つ又は複数を含むものである。
本発明に係る前記携帯端末によれば、前記画像処理装置における文字の入力を前記携帯端末の前記第２の文字入力手段を用いて効率的に行うことができる。特に、前記携帯端末は、ユーザーが日常的に使用するものであるため、ユーザーは使い慣れた前記携帯端末の前記第２の文字入力手段による文字入力手法によって簡単に前記画像処理装置における文字の入力を行うことができる。また、前記第１の文字入力手段による文字の入力の際に前記登録文字情報が反映された前記辞書データを用いることができるため、より効率的な文字入力が可能となる。
ここで、前記携帯端末は、画像を撮影する撮影手段と、前記撮影手段の撮影画面に映された前記画像処理装置の選択操作に応じて、前記画像処理装置に設けられた第１の文字入力手段に表示された入力項目に関する入力項目情報の送信を前記画像処理装置に要求する送信要求手段と、前記画像処理装置から受信した前記入力項目情報に基づいて前記入力項目を少なくとも含む操作画面を表示させる表示制御手段と、を備えてなることが考えられる。これにより、ユーザーは前記撮影手段を用いて前記画像処理装置を選択することができるため、例えば前記画像処理装置の機種名やＩＰアドレスなどの識別情報を選択する場合に比べて前記画像処理装置を容易に選択することができる。
さらに、前記携帯端末が、前記画像処理装置において任意に設定されて使用される言語の種別を示す言語設定情報を前記画像処理装置から受信する言語設定情報受信手段を備えてなり、前記第２の文字入力手段が、前記言語設定情報が示す種別の言語で文字を入力するものであることが考えられる。これにより、ユーザーは、前記画像処理装置における言語設定に対応する言語を自己で選択する手間を省略することができる。
【０００７】
また、本発明は、携帯端末と画像形成手段及び画像読取手段のいずれか一方又は両方を備えてなる画像処理装置とが通信接続可能である画像処理システムとして捉えてもよい。ここで、前記携帯端末は、文字を入力するための第２の文字入力手段と、前記第２の文字入力手段により入力された文字情報を前記画像処理装置に送信する文字情報送信手段と、を備えてなる。また、前記画像処理装置は、文字を入力するための第１の文字入力手段と、前記携帯端末に設けられた第２の文字入力手段によって入力された文字情報を前記携帯端末から受信する文字情報受信手段と、前記文字情報受信手段によって受信された前記文字情報を前記第１の文字入力手段による入力文字として反映する文字反映手段と、を備えてなる。
本発明に係る前記画像処理システムによれば、前記画像処理装置における文字の入力を前記携帯端末の前記第２の文字入力手段を用いて効率的に行うことができる。特に、前記携帯端末は、ユーザーが日常的に使用するものであるため、ユーザーは使い慣れた前記携帯端末の前記第２の文字入力手段による文字入力手法によって簡単に前記画像処理装置における文字の入力を行うことができる。
また、前記画像処理システムにおいて、前記画像処理装置が、前記画像処理装置において予め登録された登録文字情報を記憶する登録文字情報記憶手段と、前記登録文字情報を前記携帯端末に送信する登録文字情報送信手段と、を備えてなり、前記携帯端末が、前記画像処理装置において予め登録された登録文字情報を前記画像処理装置から受信する登録文字情報受信手段と、前記登録文字情報を前記第２の文字入力手段による文字の入力の際に用いられる辞書データに登録する辞書データ登録手段と、を備えてなることが考えられる。これにより、前記第１の文字入力手段による文字の入力の際に前記登録文字情報が反映された前記辞書データを用いることができるため、より効率的な文字入力が可能となる。
【発明の効果】
【０００８】
本発明によれば、ユーザーは携帯端末の文字入力機能を用いて画像処理装置における文字の入力を効率的に行うことができる。
【図面の簡単な説明】
【０００９】
【図１】本発明の実施の形態に係る画像処理システムの概略構成を示す模式図。
【図２】本発明の実施の形態に係る携帯端末及び画像処理装置の概略構成を示すブロック図。
【図３】画像処理システムで実行される外部文字入力処理の手順の一例を示すフローチャート。
【図４】携帯端末で実行される文字入力処理の手順の一例を示すフローチャート。
【図５】携帯端末及び画像処理装置の操作画面の一例を示す図。
【図６】携帯端末及び画像処理装置の操作画面の一例を示す図。
【発明を実施するための形態】
【００１０】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１１】
＜画像処理システムＺ＞
まず、図１を参照しつつ、本発明の実施の形態に係る画像処理システムＺの概略構成について説明する。図１に示すように、前記画像処理システムＺは、Ｂｌｕｅｔｏｏｔｈ（登録商標）やＩＥＥＥの無線ＬＡＮ規格などの無線通信規格に従って通信接続可能な携帯端末Ｘ及び複合機Ｙを備えている。
ここに、前記携帯端末Ｘは、例えばスマートフォン、携帯電話、タブレット端末、ＰＤＡ等である。また、前記複合機Ｙは、画像形成処理を実行する画像形成手段及び画像読取処理を実行する画像読取手段を備えた本発明に係る画像処理装置の一例であって、例えば前記画像形成手段又は前記画像読取手段を備えるプリンター、ファクシミリ装置、スキャナーなども本発明に係る画像処理装置に該当する。
【００１２】
＜携帯端末Ｘ＞
次に、図２を参照しつつ、前記携帯端末Ｘの概略構成について説明する。
図２に示すように、前記携帯端末Ｘは、制御部１１、操作表示部１２、カメラ１３、データ記憶部１４、及び通信Ｉ／Ｆ１５などを備えている。
前記通信Ｉ／Ｆ１５は、通信モデム及びアンテナなどの通信機器を備えており、前記複合機Ｙなどの外部装置との間で、Ｂｌｕｅｔｏｏｔｈ（登録商標）やＩＥＥＥの無線ＬＡＮ規格などで規定された所定の通信プロトコルに従った通信処理を実行するためのインターフェースである。
前記制御部１１は、ＣＰＵ、ＲＯＭ及びＲＡＭなどを有している。前記制御部１１は、前記ＲＯＭに格納された制御プログラムに従った処理を前記ＣＰＵで実行することにより前記携帯端末Ｘを統括的に制御する。具体的に、前記制御部１１は、前記複合機Ｙにおける文字入力を行うための文字入力プログラムが予めインストールされることにより、後述の外部文字入力処理（図３参照）における各処理手順を実行する。なお、前記制御部１１はＡＳＩＣ又はＤＳＰなどの集積回路で構成されたものであってもよい。
前記操作表示部１２は、前記制御部１１からの制御指示に従って各種の情報を表示すると共に、ユーザー操作に応じた操作信号を前記制御部１１に入力するタッチパネルを有している。以下、前記操作表示部１２の表示とは前記タッチパネルによる表示、前記操作表示部１２の操作とはユーザーによる前記タッチパネルのタッチ操作を意味するものとする。
前記カメラ１３は、前記操作表示部１２の操作に応じて前記制御部１１に制御されることにより画像を撮影する撮影手段である。また、前記制御部１１は、前記カメラ１３による撮影対象を映した撮影画面を前記操作表示部１２に表示させ、前記操作表示部１２の撮影ボタンが操作された場合に前記撮影画面に表示された画像を撮影する。なお、前記制御部１１は、前記カメラ１３で撮影された写真の画像データを前記データ記憶部１４に記憶させる。
【００１３】
前記データ記憶部１４は、ＨＤＤ又はフラッシュメモリー等の記憶手段であり、前記制御部１１によるデータの読み書きが可能である。具体的に、前記データ記憶部１４には、前記操作表示部１２を用いて行われる文字入力時に参照される辞書データが記憶される。前記辞書データは、例えば前記操作表示部１２における文字入力の学習情報、入力履歴、ユーザー辞書情報、アドレス情報などが含まれる。そして、前記携帯端末Ｘにおいて、前記制御部１１は、前記操作表示部１２による文字入力時に、前記辞書データを参照してユーザーによる文字入力を補助する予測変換処理を実行する。
また、前記携帯端末Ｘにおいて、前記制御部１１は、文字入力手法として、ソフトウェアキーボード入力機能、手書き入力機能、音声入力機能、及び所定の編集処理機能などの各種の文字入力機能を備えている。前記ソフトウェアキーボード入力機能は、前記操作表示部１２に表示したキーボードのタッチ操作に応じて文字を入力する文字入力機能である。前記手書き入力機能は、前記操作表示部１２のタッチ操作により描かれた文字を判別して入力する文字入力機能である。前記音声入力機能は、前記携帯端末Ｘに設けられたマイクに入力される音声から文字を認識して入力する文字入力機能である。前記所定の編集処理機能は、前記操作表示部１２の操作により文字のコピー、カット、ペーストなどを行う文字入力機能である。ここに、係る各種の文字入力機能を用いて文字を入力するための処理を実行するときの前記制御部１１が第２の文字入力手段の一例である。
【００１４】
＜複合機Ｙ＞
続いて、図２を参照しつつ、前記複合機Ｙの概略構成について説明する。
図２に示すように、前記複合機Ｙは、制御部２１、操作表示部２２、画像読取部２３（画像読取手段の一例）、画像形成部２４（画像形成手段の一例），データ記憶部２５、及び通信Ｉ／Ｆ２６などを備えている。
前記通信Ｉ／Ｆ２６は、通信モデム及びアンテナなどの通信機器を備えており、前記携帯端末Ｘなどの外部装置との間でＢｌｕｅｔｏｏｔｈ（登録商標）やＩＥＥＥの無線ＬＡＮ規格などで規定された所定の通信プロトコルに従った通信処理を実行するためのインターフェースである。
前記画像読取部２３は、ＣＣＤ（撮像手段）及び各種の光学系を備えており、原稿台又はＡＤＦ（自動原稿搬送装置）にセットされた原稿から画像データを読み取る画像読取処理を実行する。
前記画像形成部２４は、感光体ドラム、ＬＳＵ、帯電装置、現像装置、転写装置、定着装置などを備えており、入力される画像データに基づいて画像を印刷する画像形成処理を実行する。
【００１５】
前記制御部２１は、ＣＰＵ、ＲＯＭ及びＲＡＭなどを有している。前記制御部２１は、前記ＲＯＭに格納された制御プログラムに従った処理を前記ＣＰＵで実行することにより前記複合機Ｙを統括的に制御する。具体的に、前記制御部２１は、前記携帯端末Ｘによる文字入力を受け付けるための文字入力プログラムが予めインストールされることにより、後述の外部文字入力処理（図３参照）における各処理手順を実行する。なお、前記制御部２１は集積回路（ＡＳＩＣ）などの電子回路で構成されたものであってもよい。
前記操作表示部２２は、前記制御部２１からの制御指示に従って各種の情報を表示すると共に、ユーザー操作に応じた操作信号を前記制御部２１に入力するタッチパネルを有している。以下、前記操作表示部２２の表示とは前記タッチパネルによる表示、前記操作表示部２２の操作とはユーザーによる前記タッチパネルのタッチ操作を意味するものとする。
具体的に、前記操作表示部２２は、例えばログイン情報、メールアドレス、ＦＡＸ番号、電話番号、ファイル名などの文字の入力に用いられる。ここに、前記操作表示部２２が第１の文字入力手段に相当する。また、前記複合機Ｙでは、前記操作表示部２２における表示言語が前記制御部２１によって実行される初期設定処理などにおいて、例えば日本語又は英語などに設定されており、その設定内容は言語設定情報として前記データ記憶部２５に記憶される。
前記データ記憶部２５は、ＨＤＤ又はフラッシュメモリー等の記憶手段であり、前記制御部２１によりデータの読み書きが可能である。具体的に、前記データ記憶部２５には、前記複合機Ｙにおける文字入力の学習情報、入力履歴、ユーザー辞書情報、アドレス情報などを含む登録文字情報が記憶される。前記文字入力の学習情報は、前記複合機Ｙにおける前記操作表示部２２の操作により入力された頻度の高い文字列などに関する情報である
。前記入力履歴は、前記複合機Ｙにおける前記操作表示部２２の操作により入力された文字列の履歴に関する情報である。前記ユーザー辞書情報は、前記複合機Ｙにおいてユーザーによって任意に登録された単語や文字列に関する情報である。前記アドレス情報は、例えば氏名、所属、メールアドレス、電話番号、ＦＡＸ番号などに関する情報である。ここに、前記登録文字情報を記憶する前記データ記憶部２５が登録文字情報記憶手段の一例である。
【００１６】
＜外部文字入力処理＞
そして、前記画像処理システムＺでは、前記携帯端末Ｘ及び前記複合機Ｙにより後述の外部文字入力処理（図３参照）が実行されることにより、ユーザーは前記携帯端末Ｘを用いて前記複合機Ｙにおける文字の入力を行うことができる。
以下、図３のフローチャートに従って、前記携帯端末Ｘの制御部１１及び前記複合機Ｙの制御部２１で実行される外部文字入力処理の手順の一例について説明する。なお、図示するＳ１１、Ｓ１２、・・・Ｓ２０は前記携帯端末Ｘ側の制御部１１で実行される処理手順（ステップ）番号、Ｓ２１、Ｓ２２、・・・Ｓ３３は前記複合機Ｙ側の制御部２１で実行される処理手順（ステップ）番号を表す。
【００１７】
（ステップＳ１１：複合機Ｙ側）
まず、前記複合機Ｙでは、前記制御部２１が、ステップＳ１１において、前記携帯端末Ｘと通信可能な状態であるか否かを判断する。具体的に、前記制御部２１は、前記携帯端末Ｘ及び前記複合機Ｙが無線通信可能な距離まで近接し、前記通信Ｉ／Ｆ１５及び前記通信Ｉ／Ｆ２６の間の無線通信接続が確立した場合に、前記携帯端末Ｘと通信可能な状態であると判断する。なお、前記複合機Ｙでは、前記通信Ｉ／Ｆ２６によりブロードキャストが実行され、現在前記複合機Ｙが通信可能な外部装置が検索されており、前記制御部２１は、前記検索結果に応じて前記携帯端末Ｘと通信可能であるか否かを判断することが可能である。
そして、前記制御部２１は、前記携帯端末Ｘと通信可能である場合には（Ｓ１１のＹｅｓ側）、処理をステップＳ１２に移行させ、前記携帯端末Ｘと通信可能でない場合には（Ｓ１１のＮｏ側）、処理を前記ステップＳ１１で待機させる。
【００１８】
（ステップＳ１２：複合機Ｙ側）
ステップＳ１２において、前記制御部２１は、前記複合機Ｙにおいて予め登録された前記登録文字情報及び前記言語設定情報を前記通信Ｉ／Ｆ２６によって前記携帯端末Ｘに送信する。ここに、前記登録文字情報及び前記言語設定情報を送信するときの前記制御部２１が登録文字情報送信手段及び言語設定情報送信手段に相当する。なお、前記登録文字情報及び前記言語設定情報の送信タイミングは、前記携帯端末Ｘとの通信が可能になったときに限らない。例えば、後述のステップＳ１３において操作開始要求を受信したと判断したときに前記登録文字情報及び前記言語設定情報が前記携帯端末Ｘに送信されてもよい。
ここで、前記登録文字情報及び前記言語設定情報は、ＸＭＬ（Extensible Markup Language）形式のマークアップ言語で構成されたＸＭＬデータである。もちろん、前記登録文字情報及び前記言語設定情報はＨＴＭＬ形式などの他のマークアップ言語又はプログラム言語で記述されたデータであってもよい。
【００１９】
（ステップＳ２１：携帯端末Ｘ側）
一方、前記携帯端末Ｘでは、前記制御部１１が、ステップＳ２１において、前記複合機Ｙなどの外部装置から送信された前記登録文字情報の前記通信Ｉ／Ｆ１５による受信を待ち受ける（Ｓ２１のＮｏ側）。そして、前記通信Ｉ／Ｆ１５により前記登録文字情報が受信されると（Ｓ２１のＹｅｓ側）、前記制御部１１は処理をステップＳ２２に移行させる。ここに、前記登録文字情報を受信するときの前記通信Ｉ／Ｆ１５及び前記制御部１１が登録文字情報受信手段に相当する。
【００２０】
（ステップＳ２２〜Ｓ２３：携帯端末Ｘ側）
ステップＳ２２において、前記制御部１１は、前記登録文字情報に含まれた文字入力の学習情報、入力履歴、ユーザー辞書情報、アドレス情報などの情報を前記データ記憶部１４に記憶された辞書データに登録する。これにより、前記携帯端末Ｘでは、その後の前記操作表示部１２による文字入力時に、前記複合機Ｙから受信した前記登録文字情報が反映された前記辞書データを用いて効率的に文字入力を行うことができる。
次に、ステップＳ２３において、前記制御部１１は、前記言語設定情報を前記データ記憶部１４に保存する。これにより、前記制御部１１は、前記言語設定情報に基づいて前記複合機Ｙにおける使用言語を特定することができる。
【００２１】
（ステップＳ２４〜Ｓ２５：携帯端末Ｘ側）
ステップＳ２４において、前記制御部１１は、前記複合機Ｙの選択操作が行われたか否かを判断し、前記複合機Ｙの選択操作が行われるまでの間、処理を待機させる（Ｓ２４のＮｏ側）。そして、前記複合機Ｙの選択操作が行われると（Ｓ２４のＹｅｓ側）、前記制御部１１は処理をステップＳ２５に移行させる。
例えば、前記制御部１１が、前記カメラ１３を通して前記操作表示部１２に表示される映像のタッチ操作が行われた場合にそのタッチ操作された箇所に存在する対象物の情報を表示することや前記対象物を選択するいわゆる拡張現実（AR：Augmented Reality）機能を有することがある。この場合、前記制御部１１は、前記操作表示部１２の表示画面上で前記複合機Ｙがタッチ操作された場合に、前記複合機Ｙの選択操作が行われたと判断することができる。従って、例えば前記複合機Ｙの機種名やＩＰアドレスなどの識別情報を選択する場合に比べて前記複合機Ｙを容易に選択することができる。もちろん、前記複合機Ｙの選択操作手法はこれに限らず、前記携帯端末Ｘが通信接続可能な一又は複数の画像処理装置が表示された一覧画面において前記複合機Ｙが選択されることも考えられる。
そして、ステップＳ２５において、前記制御部１１は、前記複合機Ｙの操作表示部２２に表示された入力項目に関する入力項目情報の送信を前記複合機Ｙに要求するため、前記複合機Ｙの操作を開始する旨を示す操作開始要求を前記通信Ｉ／Ｆ１５により前記複合機Ｙに送信する。このように、前記カメラ１３の撮影画面に映された前記複合機Ｙの選択操作に応じて、当該ステップＳ２５の処理を実行するときの前記制御部１１が送信要求手段に相当する。
【００２２】
（ステップＳ１３〜Ｓ１４：複合機Ｙ側）
このとき、前記制御部２１は、ステップＳ１３において、前記携帯端末Ｘから前記通信Ｉ／Ｆ２６による前記操作開始要求の受信を待ち受けており（Ｓ１３のＮｏ側）、前記通信Ｉ／Ｆ２６により前記操作開始要求が受信されると（Ｓ１３のＹｅｓ側）、処理をステップＳ１４に移行させる。
ステップＳ１４において、前記制御部２１は、前記複合機Ｙの前記操作表示部２２に表示された操作画面に含まれる入力項目に関する入力項目情報を前記通信Ｉ／Ｆ２６により前記携帯端末Ｘに送信する。ここに、係る処理を実行するときの前記制御部２１が入力項目情報送信手段に相当する。なお、前記入力項目情報は、前記操作表示部２２に表示された操作画面と同様の内容を前記携帯端末Ｘの前記操作表示部１２に表示させるための情報である。
ここに、図５（Ａ）は、前記複合機Ｙにおいてログイン処理を実行する際に前記制御部２１によって前記操作表示部２２に表示される操作画面の一例を示している。図５（Ａ）に示す操作画面には、ログインするユーザー名及びパスワードを文字入力するための入力項目２２１、２２２及び文字入力を開始するための操作キー２２３、２２４が表示されている。この場合、前記入力項目情報には、少なくとも前記入力項目２２１、２２２及び前記操作キー２２３、２２４を表示させるための情報が含まれる。
【００２３】
（ステップＳ２６〜Ｓ２７：携帯端末Ｘ側）
一方、ステップＳ２６において、前記制御部１１は、前記複合機Ｙから前記通信Ｉ／Ｆ１５による前記入力項目情報の受信を待ち受けており（Ｓ２６のＮｏ側）、前記通信Ｉ／Ｆ１５により前記入力項目情報が受信されると（Ｓ２６のＹｅｓ側）、処理をステップＳ２７に移行させる。
続いて、ステップＳ２７において、前記制御部１１は、前記複合機Ｙから受信した前記入力項目情報に従って前記複合機Ｙの操作画面と同様の操作画面を生成して前記操作表示部１２に表示させる。図５（Ｂ）は、前記ステップＳ２６において前記携帯端末Ｘの操作表示部１２に表示される操作画面の一例を示している。図５（Ｂ）に示すように、前記操作表示部１２には、少なくとも前記複合機Ｙの操作表示部２２で表示された前記入力項目１２１、１２２及び前記操作キー１２３、１２４と同様の入力項目１２１、１２２及び操作キー１２３、１２４が表示される。ここに、係る処理を実行するときの前記制御部１１が表示制御処理に相当する。
【００２４】
（ステップＳ２８〜Ｓ２９：携帯端末Ｘ側）
そして、前記制御部１１は、前記操作表示部１２の操作画面上におけるユーザー操作を待ち受ける（Ｓ２８のＮｏ側）。そして、前記制御部１１は、前記操作表示部１２の操作画面上におけるユーザー操作が行われたと判断すると（Ｓ２８のＹｅｓ側）、処理をステップＳ２９に移行させる。
ステップＳ２９において、前記制御部１１は、前記操作表示部１２の操作画面上におけるユーザー操作に応じた操作情報を前記通信Ｉ／Ｆ１５により前記複合機Ｙに送信する。前記操作情報は、例えば前記操作画面上で操作された操作キーの内容、又は前記操作画面情報で操作された操作箇所の位置座標情報などである。これにより、前記複合機Ｙでは、前記制御部２１により前記携帯端末Ｘにおける操作内容を認識することができる。
【００２５】
（ステップＳ１５〜Ｓ１７：複合機Ｙ側）
このとき、前記複合機Ｙでは、前記制御部２１が前記携帯端末Ｘからの前記操作情報の受信を待ち受けており（Ｓ１５のＮｏ側）、前記操作情報が受信されると（Ｓ１５のＹｅｓ側）、前記制御部２１は処理をステップＳ１６に移行させる。
ステップＳ１６において、前記制御部２１は、前記操作情報が、文字入力を開始するための操作であるか否かを判断する。ここで、前記制御部２１は、文字入力を開始するための操作であれば（Ｓ１６のＹｅｓ側）、処理をステップＳ１７に移行させ、文字入力を開始するための操作でなければ（Ｓ１６のＮｏ側）、処理を前記ステップＳ１５に戻す。例えば、前記複合機Ｙにおいて図５（Ａ）に示す操作画面が表示されている場合、前記制御部２１は、前記携帯端末Ｘにおいて図５（Ｂ）に示した操作画面上で前記操作キー１２３又は前記操作キー１２４が操作された場合に、文字入力を開始するための操作が行われたと判断する。なお、前記操作情報が文字入力を開始するための操作でない場合、前記制御部２１は、処理を前記ステップＳ１５に戻すと共に前記操作情報に対応して実行する処理を実行する。例えば、前記制御部２１がログイン処理を実行している際に受信した前記操作情報がログイン実行の処理を示すものである場合、前記制御部２１は、前記操作情報に従ってログイン実行の処理を実行する。
そして、ステップＳ１７において、前記制御部２１は、文字入力を開始するための操作が行われた旨を示す文字入力開始通知を前記携帯端末Ｘに送信する。
【００２６】
（ステップＳ３０〜Ｓ３１：携帯端末Ｘ側）
一方、前記携帯端末Ｘでは、ステップＳ３０において、前記制御部１１が前記複合機Ｙからの前記文字入力開始通知の受信を待ち受けている（Ｓ３０のＮｏ側）。そして、前記制御部１１は、前記文字入力開始通知を受信すると（Ｓ３０のＹｅｓ側）、処理をステップＳ３１に移行させる。なお、前記携帯端末Ｘにおいて前記制御部１１が前記操作キー１２３、１２４の操作に応じて文字入力開始と判断して処理を後述のステップＳ３１に移行させることも他の実施形態として考えられる。
ステップＳ３１において、前記制御部１１は、前記操作表示部１２を用いた文字入力処理を実行する。ここで、図４を参照しつつ、前記文字入力処理の処理手順の一例について説明する。なお、前記文字入力処理は、前記携帯端末Ｘにおけるメール作成時、メモ作成時、アドレス登録時などの文字入力を要する場合に前記制御部１１によって実行される処理と同様である。
【００２７】
（ステップＳ３１１）
図４に示すように、まずステップＳ３１１において、前記制御部１１は、前記携帯端末
Ｘで予め視覚サポート機能がＯＮに設定されているか否かを判断する。なお、前記視覚サポート機能のＯＮ／ＯＦＦは、前記制御部１１によって実行される初期設定処理などにおいて前記操作表示部１２のユーザー操作によって設定され、その設定内容は前記データ記憶部１４などに記憶される。ここに、前記視覚サポート機能とは、視力又は色覚などが弱い者による操作を補助するための機能である。例えば、前記視覚サポート機能がＯＮである場合には、前記操作表示部１２に表示される前記操作画面の文字や操作キーのサイズが拡大され、前記操作画面の配色がカラーからモノクロに切り替えられることが考えられる。
そして、前記制御部１１は、前記視覚サポート機能がＯＮであれば処理をステップＳ３１２に移行させ、前記視覚サポート機能がＯＦＦであれば処理をステップＳ３１３に移行させる。
【００２８】
（ステップＳ３１２）
ステップＳ３１２において、前記制御部１１は、前記視覚サポート機能がＯＮであるため、音声入力により文字入力を行う音声入力モードへの切り替えを行う音声入力キーを前記操作表示部１２に表示させる。これにより、ユーザーは、前記音声入力キーを操作することにより、文字入力手法を音声入力に切り替えることが可能になる。もちろん、前記視覚サポート機能のＯＮ／ＯＦＦにかかわらず前記音声入力キーが前記操作表示部１２に表示されることも他の実施形態として考えられる。
【００２９】
（ステップＳ３１３〜Ｓ３１４）
ステップＳ３１３において、前記制御部１１は、前記複合機Ｙから受信した前記言語設定情報に基づいて前記複合機Ｙで使用されている言語を特定し、当該文字入力処理における入力文字の言語をその言語に設定する。
そして、ステップＳ３１４において、前記制御部１１は、前記ステップＳ３１３で設定された言語で表現されたソフトウェアキーボードを前記操作表示部１２に表示させる。ここに、図６（Ａ）は、前記携帯端末Ｘの前記操作表示部１２に表示される操作画面の一例を示す図である。
図６（Ａ）に示すように、前記言語情報が示す言語が英語である場合、前記操作表示部１２には、英語のソフトウェアキーボード１２５が表示される。従って、ユーザーは、前記複合機Ｙにおける言語設定に対応する言語を自己で選択する手間を省略することができる。このようにして前記ソフトウェアキーボード１２５が前記操作表示部１２に表示されると、前記制御部１１は、前記ソフトウェアキーボード１２５のユーザー操作に応じて文字の入力を行う。即ち、前記制御部１１は、前記言語設定情報が示す言語で文字を入力することになる。なお、前記制御部１１は、前記操作表示部１２のユーザー操作に応じて前記ソフトウェアキーボード１２５における表示言語を任意に切り替えることができる。例えば、前記ソフトウェアキーボード１２５の表示言語は、日本語、英語、数字、記号などに切り替えられる。
また、前記携帯端末Ｘは、テンキーに表示された文字をスライド操作することにより、一つの操作キーで異なる複数の文字入力を行うことのできるフリック操作機能を備えることがある。さらに、前記携帯端末Ｘは、テンキーに表示された二つの数字の入力操作により日本語を一文字入力する所謂２タッチ入力（ポケベル入力、ポケベル打ち等とも称される）機能を有することもある。これらの場合、前記ステップＳ３１４において、前記制御部１１は、前記テンキーを前記操作表示部１２に表示させ、前記テンキーを用いた文字入力を行うことが考えられる。即ち、前記携帯端末Ｘでは、前記複合機Ｙにおける文字の入力を行う場合でも、前記携帯端末Ｘにおける文字入力を行う場合と同じ文字入力手法により文字を入力することができる。例えば、前記制御部１１は、前記操作表示部１２のユーザー操作に応じて前記ソフトウェアキーボード１２５及び前記テンキーを切り替えて前記操作表示部１２に表示させる。
【００３０】
（ステップＳ３１５）
その後、ステップＳ３１５において、前記制御部１１は、前記操作表示部１２による文字入力の有無を判断する。ここで、前記制御部１１は、前記文字入力が行われたと判断すると（Ｓ３１５のＹｅｓ側）、処理をステップＳ３１６に移行させ、前記文字入力が行われていなければ（Ｓ３１６のＮｏ側）、処理をステップＳ３１８に移行させる。
【００３１】
（ステップＳ３１６）
ステップＳ３１６において、前記制御部１１は、前記操作表示部１２により現在入力中の文字に基づいて、前記データ記憶部１４などに記憶された辞書データから入力候補を表示させる予測変換処理を実行する。具体的に、前記制御部１１は、一文字目が入力された場合には、その一文字目が先頭文字に一致する入力候補を前記辞書データから抽出し、二文字目が入力された場合には、その二文字目までが先頭文字に一致する入力候補を前記辞書データから抽出する。そして、前記制御部１１は、前記入力候補の選択に応じて前記入力候補を入力文字として採用する。なお、前記入力候補が存在しない場合、前記制御部１１は、前記入力候補を表示させずに処理をステップＳ３１７に移行させる。
例えば、前記辞書データに「あ」で始まる文字列「明日」、「アクセス」が登録されている場合、前記操作表示部１２により「あ」の文字が入力されると、前記ステップＳ３１６において、前記制御部１１は、「明日」、「アクセス」を入力候補として前記操作表示部１２に表示させる。これにより、ユーザーは、前記入力候補に入力したい文字列が存在する場合には、その文字列の文字を全て入力することなく、前記操作表示部１２に表示された前記入力候補から所望の文字列を選択することにより簡単に所望の文字列を入力することができる。特に、前記携帯端末Ｘでは、前記複合機Ｙから受信した前記登録文字情報が前記辞書データに反映されているため（Ｓ２２）、前記ステップＳ３１６における文字入力時に前記複合機Ｙで登録された各種の文字列を前記入力候補として用いることができる。
【００３２】
（ステップＳ３１７）
その後、ステップＳ３１７において、前記制御部１１は、文字入力を確定するための操作が前記操作表示部１２に対して行われたか否かを判断する。例えば、前記制御部１１は、前記操作表示部１２に前記ソフトウェアキーボード１２５と共に表示された確定キー又は送信キーなどの操作により文字入力の確定と判断する。
ここで、前記制御部１１は、文字入力の確定と判断した場合（Ｓ３１７のＹｅｓ側）、当該文字入力処理を終了し、処理をステップＳ３２（図３参照）に移行させ、文字入力が確定されるまでの間は（Ｓ３１７のＮｏ側）、処理をステップＳ３１８に移行させる。
【００３３】
（ステップＳ３１８）
ステップＳ３１８において、前記制御部１１は、前記携帯端末Ｘにおける文字入力手法の切り替え操作の有無を判断する。例えば、前記制御部１１が、「キーボード」、「手書き入力」、「音声入力」のそれぞれに対応する操作キーを前記操作表示部１２に表示させている場合、前記制御部１１は、前記操作キーのいずれかが選択された場合に文字入力手法の切り替え操作が行われたと判断する。ここで、前記制御部１１は、文字入力手法の切り替え操作が行われたと判断すると、処理をステップＳ３１９に移行させ、その後、処理を前記ステップＳ３１５に移行させる。
【００３４】
（ステップＳ３１９）
ステップＳ３１９において、前記制御部１１は、その切り替え後の文字入力手法による文字入力を行うための操作画面を前記操作表示部１２に表示させてその文字入力手法による文字入力を行う。
例えば、前記制御部１１は、「キーボード」が選択された場合には前記ソフトウェアキーボード１２５を前記操作表示部１２に表示させ、「手書き入力」が選択された場合には手書き入力を行うための描画画面を前記操作表示部１２に表示させる。そして、前記制御部１１は、前記描画画面に文字が描かれると、その文字を認識して前記操作表示部１２の文字入力欄に入力する。
また、前記制御部１１は、「音声入力」が選択された場合には、「お話下さい」などの音声入力を促すための表示画面を前記操作表示部１２に表示させる。そして、前記制御部１１は、前記携帯端末Ｘに設けられたマイクに入力された音声を解析して文字を認識し、その文字を前記操作表示部１２の文字入力欄に入力する。
【００３５】
（ステップＳ３２〜Ｓ３３：携帯端末Ｘ側）
次に、図３のフローチャートに戻り、前記携帯端末Ｘでは、前記制御部１１が、ステップＳ３２において、前記ステップＳ３１で入力された文字を示す文字情報を前記通信Ｉ／Ｆ１５により前記複合機Ｙに送信する。ここに、係る処理を実行するときの前記制御部１１が文字情報送信手段に相当する。
その後、前記制御部１１は、前記複合機Ｙにおける文字入力の終了操作が前記操作表示部１２に対して行われたか否かを判断する。そして、文字入力の終了操作が行われた場合には（Ｓ３３のＹｅｓ側）、前記制御部１１は処理を前記ステップＳ１に移行させる。また、文字入力の終了操作が行われていなければ（Ｓ３３のＮｏ側）、前記制御部１１は、処理を前記ステップＳ２８に移行させ、例えば次の入力項目の選択及び文字入力を同様に実行する。
【００３６】
（ステップＳ１８：複合機Ｙ側）
一方、前記複合機Ｙでは、前記制御部２１がステップＳ１８において前記携帯端末Ｘから前記通信Ｉ／Ｆ２６による前記文字情報の受信を待ち受けており（Ｓ１８のＮｏ側）、前記通信Ｉ／Ｆ２６により前記文字情報が受信されると（Ｓ１８のＹｅｓ側）、処理はステップＳ１９に移行する。ここに、前記文字情報を受信するときの前記通信Ｉ／Ｆ１５及び前記制御部２１が文字情報受信手段に相当する。なお、当該外部文字入力処理において、前記制御部２１は、前記ステップＳ１１で前記携帯端末Ｘと通信可能であると判断された後、前記携帯端末Ｘとの通信接続が遮断されるまでの間、排他処理を実行することにより他の外部端末からのジョブを拒否することが考えられる。また、前記排他処理の実行期間はこれに限らず、例えば前記携帯端末Ｘにおける前記複合機Ｙの操作開始時（Ｓ１３のＹｅｓ側）に前記携帯端末Ｘからの操作開始要求を受信してから、前記携帯端末Ｘにおける前記複合機Ｙの操作終了時（Ｓ３３のＹｅｓ側）に前記携帯端末Ｘからの操作終了通知を受信するまでの間、前記排他処理を実行することも考えられる。
ステップＳ１９において、前記制御部２１は、前記携帯端末Ｘから受信した文字情報を前記操作表示部２２に表示された操作画面の入力項目の入力文字として反映させる。ここに、係る処理を実行するときの前記制御部２１が文字反映手段に相当する。例えば、図６（Ａ）に示したように、前記携帯端末Ｘの操作表示部１２において、前記入力項目１２１に「ＡＢＣ」と入力されていた場合、前記ステップＳ１８で受信する前記文字情報は「ＡＢＣ」の文字を示すものである。この場合、前記制御部２１は、前記ステップＳ１９において、前記文字情報が示す「ＡＢＣ」の文字を前記操作表示部２２の前記入力項目２２１に入力する。なお、その後、前記制御部２１は、前記複合機Ｙの前記操作表示部２２のユーザー操作に応じて、プリント処理、スキャン処理、ファクシミリ送信処理などの各種のジョブを実行する。
【００３７】
以上説明したように、前記画像処理システムＺにおいて、ユーザーは自己が使い慣れた前記携帯端末Ｘの文字入力機能を用いて前記複合機Ｙにおける文字の入力を行うことができる。これにより、前記携帯端末Ｘが有する予測変換機能やフリック入力機能などの文字入力機能を前記複合機Ｙが有さない場合でも、ユーザーは前記携帯端末Ｘが有する前記文字入力機能を用いて、前記複合機Ｙの操作に関する文字入力を効率的に行うことができる。特に、前記複合機Ｙに予め登録された前記登録文字情報を前記携帯端末Ｘにおける辞書データとして使用することができるため、例えば前記複合機Ｙに登録されたアドレス帳などを前記予測変換処理の入力候補として用いることができる。
【符号の説明】
【００３８】
１１：制御部
１２：操作表示部
１３：カメラ
１４：データ記憶部
１５：通信Ｉ／Ｆ
２１：制御部
２２：操作表示部
２３：画像読取部
２４：画像形成部
２５：データ記憶部
２６：通信Ｉ／Ｆ
Ｓ１１、Ｓ１２、・・・：処理手順（ステップ）番号
Ｓ２１、Ｓ２２、・・・：処理手順（ステップ）番号
Ｓ３１１、Ｓ３１２、・・・：処理手順（ステップ）番号
Ｘ  ：携帯端末
Ｙ  ：複合機（画像処理装置の一例）
Ｚ  ：画像処理システム
【図１】
2013251623.tif 000003
【図２】
2013251623.tif 000004
【図３】
2013251623.tif 000005
【図４】
2013251623.tif 000006
【図５】
2013251623.tif 000007
【図６】
2013251623.tif 000008